【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
モジュール式棚システムにおいて、
少なくとも１つの棚モジュールと、
少なくとも１つの前記棚モジュールに連結された電力モジュールと、
少なくとも１つの前記棚モジュールに連結されると共に、前記電力モジュールに電気的に接続された導電アセンブリと、
を備え、
前記導電アセンブリが、
第１列の開口部および第２列の開口部を有するボードと、
強磁性材料または磁性材料から形成された背板と、
前記電力モジュールに電気的に連結されると共に、前記背板と前記ボードの間に配置され、更に、該ボードの前記第１列の開口部と位置合わせされた第１の導電部と、
前記電力モジュールに電気的に連結されると共に、前記背板と前記ボードの間に配置され、更に、該ボードの前記第２列の開口部と位置合わせされた第２の導電部と、
を含むものである、モジュール式棚システム。
【請求項２】
前記第１列の開口部の少なくとも１つの開口部の直径が、前記第２列の開口部の少なくとも１つの開口部の直径と異なるものである、請求項１に記載のモジュール式棚システム。
【請求項３】
モジュール式棚システムにおいて、
更に、前記導電アセンブリに電気的に連結された電磁コネクタを、備え、
前記電磁コネクタが、
コネクタ本体と、
前記コネクタ本体に連結され、第１の電気的接触面を有する第１の導電端子と、
前記コネクタ本体に連結されると共に、前記第１の導電端子から間隔を空けて配置され、第２の電気的接触面を有する第２の導電端子と、
前記コネクタ本体と前記第１の電気的接触面の間に置かれた第１の磁石部と、
前記コネクタ本体と前記第２の電気的接触面の間に置かれた第２の磁石部と、
を含み、
前記第１の磁石部および前記第２の磁石部が、前記導電アセンブリの前記背板に引き付けられ、それによって、前記電磁コネクタを、該導電アセンブリに機械的に連結し、
前記第１の導電端子は、前記第１列の開口部の中に、前記第１の導電部が前記第１の電気的接触面に電気的に連結されるように置かれ、
前記第２の導電端子は、前記第２列の開口部の中に、前記第２の導電部が前記第２の電気的接触面に電気的に連結されるように置かれたものである、請求項１に記載のモジュール式棚システム。
【請求項４】
少なくとも１つの前記棚モジュールが、
土台と、
前記土台から垂直に延伸し、前記導電アセンブリが連結された背面と、
前記背面から延伸する少なくとも１つの棚と、
少なくとも１つの前記棚に連結された少なくとも１つ電動式表示部と、
を備え、
前記少なくとも１つの電動式表示部が、前記電磁コネクタによって、前記導電アセンブリに電気的に連結されたものである、請求項３に記載のモジュール式棚システム。
【請求項５】
電磁コネクタにおいて、
コネクタ本体と、
前記コネクタ本体に連結され、第１の電気的接触面を有する第１の導電端子と、
前記コネクタ本体に連結されると共に、前記第１の導電端子から間隔を空けて配置され、第２の電気的接触面を有する第２の導電端子と、
前記コネクタ本体と前記第１の電気的接触面の間に置かれた第１の磁石部と、
前記コネクタ本体と前記第２の電気的接触面の間に置かれた第２の磁石部と、
を備え、
前記第２の電気的接触面が、平面かつ円形であり、前記第１の電気的接触面が、平面かつ円形であり、
前記第２の電気的接触面の直径が、前記第１の電気的接触面と異なるものである、電磁コネクタ。
【請求項６】
前記第１の電気的接触面および前記第２の電気的接触面の少なくとも１つが、耐腐食材料を含むか、または、前記耐腐食材料でメッキされ、
前記第１の電気的接触面および前記第２の電気的接触面の少なくとも１つが、摩擦低減被膜で被膜されたものである、請求項５に記載の電磁コネクタ。
【請求項７】
前記第１の磁石部が、開口部を有し、
前記第１の導電端子が、前記第１の磁石部の開口部を通って延伸し、
前記第２の磁石部が、開口部を有し、
前記第２の導電端子が、前記第２の磁石部の開口部を通って延伸するものである、請求項５に記載の電磁コネクタ。
【請求項８】
前記第１の導電端子が、該第１の導電端子の第１の端部において、前記第１の電気的接触面で終端し、
前記第２の導電端子が、該第２の導電端子の第１の端部において、前記第２の電気的接触面で終端するものである、請求項５に記載の電磁コネクタ。
【請求項９】
前記コネクタ本体が、該コネクタ本体の厚さを通って延伸する第２の端子開口部を含み、
前記第２の導電端子が、前記第２の端子開口部を通って延伸し、
前記コネクタ本体が、該コネクタ本体の厚さを通って延伸する第１の端子開口部を含み、
前記第１の導電端子が、前記第１の端子開口部を通って延伸するものである、請求項８に記載の電磁コネクタ。
【請求項１０】
前記第２の導電端子の第２の端部が、第２の導電部進入開口部を有し、
前記第１の導電端子の第２の端部が、第１の導電部進入開口部を有するものである、請求項９に記載の電磁コネクタ。
【請求項１１】
導電アセンブリにおいて、
第１列の開口部および第２列の開口部を有するボードと、
強磁性材料または磁性材料から形成された背板と、
前記背板と前記ボードの間に配置され、該ボードの前記第１列の開口部と位置合わせされた第１の導電部と、
前記背板と前記ボードの間に配置され、該ボードの前記第２列の開口部と位置合わせされた第２の導電部と、
を備えた、導電アセンブリ。
【請求項１２】
導電アセンブリにおいて、
更に、前記背板と前記第１の導電部および前記第２の導電部の少なくとも１つとの間に、配置された電気絶縁する接着剤を、備え、
前記電気絶縁する接着剤が、前記背板を、前記第１の導電部および前記第２の導電部の１つに固定するものである、請求項１１に記載の導電アセンブリ。
【請求項１３】
前記第１列の開口部の少なくとも１つの開口部の直径が、前記第２列の開口部の少なくとも１つの開口部の直径と異なるものである、請求項１１に記載の導電アセンブリ。
【請求項１４】
載置用挿入部材において、
天板と、
前記天板から垂直に延伸し、第１の開口部およびガイド開口部を有する第１のブラケットと、
前記第１のブラケットの前記第１の開口部の中に置かれた止め部材と、
第２のブラケットと、
前記第２のブラケットに連結されたガイド部材と、
を備え、
前記ガイド部材は、前記第１のブラケットの前記ガイド開口部を通って延伸し、それによって、前記第２のブラケットが前記天板に対し垂直に延伸するように、該第１のブラケットを該第２のブラケットに連結し、
前記止め部材が前記第２のブラケットの表面と係合し、該止め部材が第１の方向に回転すると、該止め部材は該第２のブラケットの方向に移動し、それによって、前記第１のブラケットと該第２のブラケットの間の空間が増加するように、該第２のブラケットを、該第１のブラケットから離れるように移動するものである、載置用挿入部材。
【請求項１５】
前記第１の開口部が、ネジ山付き開口部であり、前記止め部材が、ネジ山付き止め部材である、請求項１４に記載の載置用挿入部材。
【請求項１６】
前記ガイド部材が、前記第２のブラケットに固着されるか、または、該第２のブラケットと一体化して形成されたものである、請求項１４に記載の載置用挿入部材。
【請求項１７】
前記天板が、更に、開口部を有するものである、請求項１４に記載の載置用挿入部材。
【請求項１８】
前記天板および前記第１のブラケットが、一体化して形成されたものである、請求項１４に記載の載置用挿入部材。
【請求項１９】
モジュール式棚システムにおいて、
第１の棚モジュールと、
第２の棚モジュールと、
前記第１の棚モジュールと前記第２の棚モジューの間に配置され、該第１の棚モジュールを、該第２の棚モジュールに固定するインターフェース用直立部と、
電力モジュールと、
を備え、
請求項１４に記載の前記載置用挿入部材が、前記インターフェース用直立部の中に配置され、
前記電力モジュールが、前記載置用挿入部材によって、前記インターフェース用直立部に固定されたものである、モジュール式棚システム。
【請求項２０】
前記天板が、更に、開口部を有し、
前記載置用挿入部材が、更に、載置用ブラケットを含み、
前記電力モジュールが、前記載置用ブラケットと前記天板の前記開口部とを通って延伸する留め具によって、前記モジュール式棚システムに固定され、それによって、前記電力モジュールを、前記インターフェース用直立部に固定するものである、請求項１９に記載のモジュール式棚システム。